【手続補正書】
【提出日】平成18年9月20日(2006.9.20)
【手続補正１】
【補正対象書類名】明細書
【補正対象項目名】特許請求の範囲
【補正方法】変更
【補正の内容】
【特許請求の範囲】
【請求項１】
支持体と、
上記支持体に設けられているとともに任意の情報を記憶したＩＣ部と、
上記支持体に設けられているとともに上記ＩＣ部に接続され、上記ＩＣ部に対して非接触で情報の読み出し、書込みを行う送受信用のコイル状アンテナとを備え、
上記コイル状アンテナは、少なくとも情報の送受信が可能な第１有効面積と、この第１有効面積よりも小さな第２有効面積とが選択可能に設けられていることを特徴とする無線情報記憶媒体。
【請求項２】
折り畳み可能な支持体と、
上記支持体に設けられているとともに任意の情報を記憶したＩＣ部と、
上記支持体に設けられているとともに上記ＩＣ部に接続され、上記ＩＣ部に対して非接触で情報の読み出し、書込みを行う送受信用のコイル状アンテナとを備え、
上記コイル状アンテナは、上記支持体が開いた際、情報の送受信を可能とする第１有効面積を形成し、上記支持体が折り畳まれた際、上記第１有効面積よりも小さな第２有効面積を形成するように、上記支持体の開閉に応じて折り畳み可能に設けられていることを特徴とする無線情報記憶媒体。
【請求項３】
折り畳み可能な支持体と、
上記支持体に設けられているとともに任意の情報を記憶したＩＣ部と、
上記支持体に設けられているとともに上記ＩＣ部に接続され、上記ＩＣ部に対して非接触で情報の読み出し、書込みを行う送受信用のコイル状アンテナとを備え、
上記コイル状アンテナは、上記支持体が折り畳まれた際に情報の送受信を不能とし、上記支持体が開いた際のみに情報の送受信が可能となるように、上記支持体の開閉に応じて折り畳み可能に設けられていることを特徴とする無線情報記憶媒体。
【請求項４】
上記ＩＣ部は、上記支持体の折り目の近傍に設けられていることを特徴とする請求項２又は３に記載の無線情報記憶媒体。
【請求項５】
上記コイル状アンテナは、上記支持体の折り目を中心として対称に設けられていることを特徴とする請求項２ないし４のいずれか１項に記載の無線情報記憶媒体。
【請求項６】
上記支持体は電気絶縁性材料で形成され、上記ＩＣ部およびコイル状アンテナを被覆していることを特徴とする請求項１ないし５のいずれか１項に記載の無線情報記憶媒体。
【請求項７】
上記支持体は、上記ＩＣ部およびコイル状アンテナが設けらているとともに電気絶縁性を有したベースシートと、上記ベースシートに積層されているとともに電気絶縁性を有し上記ＩＣ部およびコイル状アンテナを被覆したカバーシートとを備えていることを特徴とする請求項１ないし６のいずれか１項に記載の無線情報記憶媒体。
【請求項８】
上記支持体は、文字情報、画像情報を印刷可能な印刷層を備えていることを特徴とする請求項１ないし７のいずれか１項に記載の無線情報記憶媒体。
【請求項９】
上記コイル状アンテナは印刷回路により形成されていることを特徴とする請求項１ないし８のいずれか１項に記載の無線情報記憶媒体。
【請求項１０】
電気絶縁性を有した折り畳み可能なシート上に、上記シートと共に折り畳み可能な送受信用のコイル状アンテナを設ける工程と、
情報を記憶するためのＩＣ部を上記コイル状アンテナに電気的に接続する工程と、
上記コイル状アンテナおよびＩＣ部を電気絶縁性材料で被覆する工程と、
上記シートの表面および上記電気絶縁性材料被覆面の少なくとも一方に、情報を印刷可能な印刷層を設ける工程と、
を備えたことを特徴とする無線情報記憶媒体の製造方法。
【請求項１１】
上記コイル状アンテナを設ける工程は、上記シート上に導電性金属膜を形成し、上記導電性金属膜を所定形状にエッチングして上記コイル状アンテナを形成する工程を含んでいることを特徴とする請求項１０に記載の無線情報記憶媒体。
【請求項１２】
表紙と中紙とを綴じ込んだ冊子体において、
上記表紙および中紙の少なくとも１つが、請求項８に記載の無線情報記憶媒体により形成され、上記無線情報記憶媒体のＩＣ部に、所持人の個人情報が記憶されているとともに、上記無線情報記憶媒体の上記印刷層に、上記個人情報に対応した個人情報が印刷されていることを特徴とする冊子体。
【請求項１３】
上記個人情報は、所持人の顔画像を含んでいることを特徴とする請求項１２に記載の冊子体。
【請求項１４】
上記印刷層の内、少なくとも上記顔画像が印刷された領域に貼付されたラミネートフィルムを備えていることを特徴とする請求項１３に記載の冊子体。
【請求項１５】
上記印刷層には、地紋印刷が施されていることを特徴とする請求項１２ないし１４のいずれか１項に記載の冊子体。
【請求項１６】
上記印刷層は、昇華記録用印刷層またはインクジェット記録用印刷層であることを特徴とした請求項１２ないし１５のいずれか１項に記載の冊子体。
【請求項１７】
請求項１２に記載の冊子体を発行する発行システムにおいて、
上記無線情報記憶媒体のＩＣ部に、所持人の顔画像を含む個人情報を書き込む記録部と、
上記無線情報記憶媒体の印刷層に、上記顔画像を印刷する印刷部と、
上記ＩＣ部に書き込まれた上記個人情報を登録する集中管理部と、
を備えたことを特徴とする発行システム。
【請求項１８】
請求項１２に記載の冊子体を用いる身分確認システムにおいて、
上記冊子体のＩＣ部に記憶されている所持人の個人情報を登録し集中管理する集中管理部と、
上記冊子体のＩＣ部に記憶されている上記個人情報を読み出して、上記集中管理部に登録されている個人情報とを照合する第１認識部と、
上記用冊子体を携帯している携帯者の生体的特徴を読み取り電子化情報を出力する生体情報電子化部と、
上記生体情報電子化部から出力された電子化情報と上記ＩＣ部から読み出された上記個人情報とを照合し、上記冊子体の携帯者と所持人との一致を確認する第２認識部と、
を備えたことを特徴とする身分確認システム。
【請求項１９】
上記第１認識部により、上記冊子体のＩＣ部に記憶されている上記個人情報と上記集中管理部に登録されている個人情報との不一致が確認された際、又は、上記第２認識部により、上記冊子体の携帯者と所持人との不一致が確認された際、警告を発する警告部を備えていることを特徴とする請求項１８に記載の身分確認システム。
【請求項２０】
携帯者を確認するための確認情報を記憶するＩＣ部と、このＩＣ部に記憶した確認情報を無線により送信可能な無線アンテナとが、冊子状に形成された本体内に配置されていることを特徴とする冊子体。
【請求項２１】
携帯者の顔画像が付された冊子と、
この冊子内に配置され、前記冊子に付された携帯者の顔画像の画像データを含む携帯者の確認情報を記憶するＩＣ部と、このＩＣ部に記憶された確認情報を無線により送信可能な無線アンテナと、
を備えたことを特徴とする冊子体。
【請求項２２】
前記無線アンテナは、冊子体を開いた場合に無線通信が可能なコイル形状を成すとともに、冊子体を閉じた場合に前記コイル形状が崩れ前記無線通信機能が不能となるように前記冊子内に配置されていることを特徴とする請求項２０又は２１記載の冊子体。
【請求項２３】
携帯者の顔画像が付された冊子体の真偽性を判断する冊子体の確認システムにおいて、
前記冊子体内に配置され、前記携帯者の顔画像の画像データを含む携帯者の確認情報を記憶するとともに、この記憶された確認情報を無線により送信可能な無線ＩＣ部と、
この無線ＩＣ部から送信された確認情報を受信する受信手段と、
前記冊子体に付されている顔画像の画像を読み取る画像読取手段と、
この画像読取手段により読み取られた顔画像の画像データと、前記受信手段が受信した前記無線ＩＣ部内の確認情報とを比較し、前記冊子体が真の冊子体であるか否かを判断する判断手段と、
を備えたことを特徴とする冊子体の確認システム。
【請求項２４】
携帯者の顔画像が付された冊子体の真偽性を判断する冊子体の確認システムにおいて、
前記冊子体内に配置され、前記携帯者の顔画像の画像データを含む携帯者の確認情報を記憶するとともに、この記憶された確認情報を無線により送信可能な無線ＩＣ部と、
この無線ＩＣ部から送信された確認情報を受信する受信手段と、
前記冊子体の携帯者の生体的特徴を読取る読取手段と、
この読取手段により読取られた携帯者の生体的特徴と、前記受信手段が受信した前記無線ＩＣ部内の確認情報とを表示する表示手段と、
この表示手段に表示された携帯者の生体的特徴と確認情報とを比較し、前記冊子体の携帯者が前記冊子体の真の所持者であるか否かを判断する判断手段と、
を備えたこと特徴とする冊子体の確認システム。
【請求項２５】
携帯者の顔画像が付された冊子体の真偽性を判断する冊子体の確認システムにおいて、
前記冊子体内に配置され、前記携帯者の顔画像の画像データを含む携帯者の確認情報を記憶するとともに、この記憶された確認情報を無線により送信可能な無線ＩＣ部と、
この無線ＩＣ部から送信された確認情報を受信する受信手段と、
前記冊子体に付されている顔画像の画像を読み取る画像読取手段と、
この画像読取手段により読み取られた顔画像の画像データと、前記受信手段が受信した前記無線ＩＣ部内の確認情報とが一致するか否かを比較し、前記冊子体が真の冊子体であるか否かを判断する第１の判断手段と、
前記冊子体の携帯者の生体的特徴を読取る読取手段と、
この読取手段により読取られた生体的特徴と、前記受信手段が受信した前記無線ＩＣ部内の確認情報とを表示する表示手段と、
この表示手段に表示された携帯者の生体的特徴と確認情報とを比較し、前記冊子体の携帯者が前記冊子体の真の所持者であるか否かを判断する第２の判断手段
と、
を備えたことを特徴とする冊子体の確認システム。
【請求項２６】
携帯者の顔画像の付きの冊子体の真偽性を判断する冊子体の確認システムにおいて、
前記冊子体内に配置され、前記携帯者の顔画像の画像データを含む携帯者の確認情報を記憶するとともに、この記憶された確認情報を無線により送信可能な無線ＩＣ部と、
この無線ＩＣモジュールから送信された確認情報を受信する受信手段と、
前記冊子体に付されている顔画像の画像を読み取る画像読取手段と、
この画像読取手段により読み取られた顔画像の画像データと、前記受信手段が受信した前記無線ＩＣ部内の確認情報とが一致するか否かを比較し、前記冊子体が真の冊子体であるか否かを判断する第１の判断手段と、
前記冊子体の携帯者の生体的特徴を読取る読取手段と、
この読取手段により読取られた携帯者の生体的特徴と、前記受信手段が受信した前記無線ＩＣ部内の確認情報とを表示する表示手段と、
この表示手段に表示された携帯者の生体的特徴と確認情報とを比較し、前記冊子体の携帯者が前記冊子体の真の所持者であるか否かを判断する第２の判断手段と、
前記第１及び第２の判断手段により、前記冊子体が真の冊子体であり、かつ前記冊子体の携帯者が前記冊子体の真の所持者であると判断された場合に、前記冊子体に基づいた処理を実行する処理機と、
を備えたことを特徴とする冊子体の確認システム。
【手続補正２】
【補正対象書類名】明細書
【補正対象項目名】００５２
【補正方法】変更
【補正の内容】
【００５２】
一方、生体情報電子化機構５５は、身分証明書１０の携帯者の生体的特徴を読取り電子化情報として情報読み取り／書き換え装置７に送り、情報読み取り／書き換え装置７はこの電子化情報と、身分証明書１０のＩＣ部２０に記録されている電子化情報と照合して身分証明書１０の携帯者と身分証明書１０の所持人とが同一人であるか否かを確認する。